(57)【要約】【課題】遊技中の疲労を軽減することができる遊技機用ハンドレストを提案する。【解決手段】遊技者の腕を載せるレスト主体３がテーブル１００に取り付けた固定用台座２に前後方向へ回転可能に軸支されてなり、該レスト主体３を、該固定用台座２の位置規定部１３に当接して起立する使用位置と該使用位置から前方回転してテーブル１００の下側へ回り込む収納位置とに位置変換可能とし、さらに前記使用位置で保持するようにした構成である。本構成によれば、使用位置のレスト主体３に腕を載せて遊技を行うことにより疲労を軽減できる。また、レスト主体３を使用位置とした状態でパチンコ遊技機を開放した場合に、該レスト主体３が前方へ回転することによって、両者の接触による負荷を低減できるため、破損などの発生を抑制でき得る。【選択図】図３
0003162416.tif 000002
【実用新案登録請求の範囲】
【請求項１】
機台の前側に張り出したテーブルに取り付けられる取付板部と、該取付板部の前端に設けられた上下方向の位置規定部とを備えた略Ｌ字形の固定用台座と、
遊技者の腕を載せるレスト部と、該レスト部から下方へ突出するように設けられたレスト脚部とを備えたものであって、該レスト脚部の下端部が前記固定用台座に前後方向へ回転可能に軸支されて、レスト脚部を固定用台座の位置規定部に当接して起立する使用位置と、該使用位置から前方へ回転して前記テーブルの下側へ回り込む収納位置とに位置変換可能としてなるレスト主体と、
レスト主体を、使用位置で保持するレスト保持手段と
を備えていることを特徴とする遊技機用ハンドレスト。
【請求項２】
レスト保持手段は、一端が、固定用台座の、回転軸線から外側へ偏位した部位に連結され、且つ他端が、レスト脚部の、回転軸線からレスト部側へ偏位した部位に連結されたコイルバネを備えたものであって、レスト主体を、そのレスト脚部が固定用台座の位置規定部に当接する使用位置と、テーブルの下側へ回り込む収納位置とに付勢するレスト付勢手段により構成されていることを特徴とする請求項１に記載の遊技機用ハンドレスト。
【請求項３】
レスト保持手段は、レスト主体のレスト脚部と固定用台座の位置規定部とを磁着して、レスト主体を使用位置で保持するレスト磁着手段により構成されていることを特徴とする請求項１に記載の遊技機用ハンドレスト。
【請求項４】
レスト主体は、レスト部がレスト脚部に対して上下方向に移動可能に設けられていると共に、該レスト部を所定の高さ位置に位置決めする高さ調整手段を備えていることを特徴とする請求項１乃至請求項３のいずれか１項に記載の遊技機用ハンドレスト。
【請求項５】
高さ調整手段は、
レスト脚部に、上下方向に沿って所定間隔で設けられた複数の係合口と、
該係合口に係合してレスト部をレスト脚部に対して上下方向に移動不能とする係合位置と係合解除してレスト部を上下方向に移動可能とする非係合位置とに位置変換可能とするように配設された係合片と
を備えたものであることを特徴とする請求項４に記載の遊技機用ハンドレスト。
【請求項６】
固定用台座は、
テーブル上面に乗載されて取り付けられる板状の取付板部と、該取付板部の前端から下方へ突設された板状の位置規定部とを備え、
さらに、レスト脚部の下端部と軸支される軸支部が、位置規定部の下端に設けられていることを特徴とする請求項１乃至請求項５のいずれか１項に記載の遊技機用ハンドレスト。
【請求項７】
固定用台座は、
テーブル下面に取り付けられる板状の取付板部と、該取付板部の前端から上方へ突設された板状の位置規定部とを備え、
さらに、レスト脚部の下端部と軸支される軸支部が、取付板部と位置規定部との連成部位に設けられていることを特徴とする請求項１乃至請求項５のいずれか１項に記載の遊技機用ハンドレスト。
【考案の詳細な説明】
【技術分野】
【０００１】
本考案は、遊技者がパチンコ遊技機等の遊技機で遊技する際に、遊技者の腕を載せることができる遊技機用ハンドレストに関する。
【背景技術】
【０００２】
例えばパチンコ遊技機には、その右下部に遊技球を発射するために操作ハンドルが設けられており、該操作ハンドルを遊技者が回動操作することによって、当該パチンコ遊技機で遊技を楽しむことができる。ところが、前記操作ハンドルを比較的長時間に亘って回動操作すると、該操作する腕が疲れてしまい、遊技を楽しめなくなってしまうという虞がある。これは、パチンコ遊技機の有する本来の趣向性を妨げることともなり、パチンコ遊技機の魅力を減退する要因ともなり得る。特に、このような腕の疲労は、女性や高齢者などのように比較的非力な者に顕著に生じ得る。
【０００３】
上記問題に対して、例えば特許文献１に、操作ハンドルを操作する遊技者の腕を載せるためのアームレストが提案されている。このアームレストは、複数のパチンコ遊技機を並設する遊技機島設備に設けられているテーブルに取り付けられる。ここで、前記テーブルは、機台の下側でその前側に張り出すように設けられており、該機台の下皿から遊技球を抜き取る際に球箱を載置したり、遊技者が小物を置いたりすることに用いられる。
【０００４】
特許文献１のアームレストは、腕を載せる載置部を備えた本体が左右横方向へ傾動可能となっており、遊技者が使用する起立位置と、該起立位置から右側へ所定角度傾動した傾倒位置とに位置変換できるものである。そして、前記本体を起立位置とした状態で、遊技者が腕を載置部に載せて操作ハンドルを操作することにより、該腕の疲労を軽減でき、比較的長時間に亘って遊技を楽しむことができ得る。また、このアームレストを使用しない場合には、本体を傾倒位置とすることにより、遊技者の邪魔にならないという利点も有する。
【先行技術文献】
【特許文献】
【０００５】
【特許文献１】特許第４１８３２７４号公報
【考案の概要】
【考案が解決しようとする課題】
【０００６】
上述した特許文献１のアームレストは、その本体の起立位置で、載置部が操作ハンドルの前側になるように設置されることから、傾倒位置へ傾動すると、右横隣りのパチンコ遊技機で遊技中の遊技者を邪魔してしまうことが懸念される。すなわち、本体を起立位置から傾倒位置へ傾動する際に、右肘等が右隣りの遊技者に接触したり、その傾動する行為自体を右隣りの遊技者が気にして遊技に集中できないこと等によって、右隣りの遊技者が不快感を生じ易い。また、パチンコ遊技機に何らかの不具合が生じた場合に、係員が当該パチンコ遊技機を前方へ開放する際には、アームレストの本体を起立位置から傾倒位置へ傾動しなければならない。仮に、起立位置の状態で開放すると、パチンコ遊技機とアームレストの本体とが接触して、一方または両方に破損などを生じる虞がある。これは、パチンコ遊技機の入れ替えを行う場合も同様である。
【０００７】
本考案は、上記の問題点を解決するものであって、遊技中の疲労を軽減することができる遊技機用ハンドレストを提案するものである。
【課題を解決するための手段】
【０００８】
本考案は、機台の前側に張り出したテーブルに取り付けられる取付板部と、該取付板部の前端に設けられた上下方向の位置規定部とを備えた略Ｌ字形の固定用台座と、遊技者の腕を載せるレスト部と、該レスト部から下方へ突出するように設けられたレスト脚部とを備えたものであって、該レスト脚部の下端部が前記固定用台座に前後方向へ回転可能に軸支されて、レスト脚部を固定用台座の位置規定部に当接して起立する使用位置と、該使用位置から前方へ回転して前記テーブルの下側へ回り込む収納位置とに位置変換可能としてなるレスト主体と、レスト主体を、使用位置で保持するレスト保持手段とを備えていることを特徴とする遊技機用ハンドレストである。
【０００９】
ここで、レスト保持手段は、レスト主体を少なくも使用位置で保持できるものであり、使用位置での保持状態を比較的容易に解除可能とするものが好適である。さらに、レスト保持手段としては、レスト主体を収納位置で保持できる構成が好適である。
【００１０】
かかる本考案の構成にあっては、レスト主体を使用位置で保持した状態で、遊技者が腕をレスト部に載せて遊技を行うことによって、該腕の疲労を軽減することができ、比較的長時間に亘って遊技を楽しむことができる。また、レスト主体は前後方向へ回転して使用位置と収納位置とに位置変換するものであるため、遊技者はレスト主体を前後方向に操作することにより該位置変換することができる。そのため、この位置変換の際に、隣りの遊技者の邪魔になり難く、隣り同士の遊技者が互いに不快感を生じてしまうことを可及的に抑制できる。さらにまた、レスト主体を前後方向へ回転可能であるため、レスト主体が使用位置にある状態で、パチンコ遊技機を開放すると、該レスト主体が使用位置から前方へ押し出される。これにより、レスト主体とパチンコ遊技機との接触の際に両者に作用する負荷を低減できるため、両者に破損等が生じてしまうことを抑制できる。尚、この作用効果は、機台の入れ替えの際にも同様に生じ得る。
【００１１】
また、レスト主体を収納位置とすると、該レスト主体がテーブルの下側に配されることから、当該遊技機用ハンドレストを使用しない遊技者にとって、そのレスト主体が邪魔にならない。
【００１２】
上述した遊技機用ハンドレストにあって、レスト保持手段は、一端が、固定用台座の、回転軸線から外側へ偏位した部位に連結され、且つ他端が、レスト脚部の、回転軸線からレスト部側へ偏位した部位に連結されたコイルバネを備えたものであって、レスト主体を、そのレスト脚部が固定用台座の位置規定部に当接する使用位置と、テーブルの下側へ回り込む収納位置とに付勢するレスト付勢手段により構成されているものが提案される。
【００１３】
ここで、レスト付勢手段のコイルバネは、使用位置と収納位置とで収縮し、該使用位置と収納位置との間で伸長するものであり、収縮する方向へ付勢力を発揮する。すなわち、コイルバネの両端が最も離間する使用位置と収納位置間の最離間位置で、該コイルバネが最も伸長することから、該最離間位置と使用位置との間では該使用位置へ付勢され、また最離間位置と収納位置との間では該収納位置へ付勢される。このように、レスト主体は使用位置と収納位置との間で回転する際に、コイルバネにより使用位置または収納位置のいずれかに付勢される。さらに、レスト主体は、使用位置でコイルバネの付勢力により保持される一方、収納位置でコイルバネの付勢力により保持される。したがって、本構成によれば、使用位置と収納位置とでレスト主体を保持できると共に、比較的容易に使用位置と収納位置とに位置変換可能である。
【００１４】
そして、本構成では、レスト主体を使用位置で保持している状態で、パチンコ遊技機を開放すると、レスト主体とパチンコ遊技機とが接触しても、レスト主体が前方へ回転することによって該接触の際に生ずる負荷を緩和できる。そのため、このような接触による破損等の発生を抑制するという本考案の作用効果が一層向上する。
【００１５】
又は、上述した遊技機用ハンドレストにあって、レスト保持手段は、レスト主体のレスト脚部と固定用台座の位置規定部とを磁着して、レスト主体を使用位置で保持するレスト磁着手段により構成されているものが提案される。
【００１６】
ここで、レスト磁着手段としては、レスト脚部と位置規定部との両者に所定の磁石を配設したり、その一方に磁石を配設し且つ他方を磁性体により形成されたものとすることが可能である。また、収納位置でも、レスト主体を磁着して保持できるようにする構成が好適である。
【００１７】
本構成にあっても、レスト主体を使用位置で保持した状態で、パチンコ遊技機を開放すると、両者の接触により磁着解除するため、該接触による負荷を緩和でき、破損等の発生を抑制するという本考案の作用効果が一層向上する。
【００１８】
一方、上述した遊技機用ハンドレストにあって、レスト主体は、レスト部がレスト脚部に対して上下方向に移動可能に設けられていると共に、該レスト部を所定の高さ位置に位置決めする高さ調整手段を備えているものが提案される。
【００１９】
かかる構成にあっては、各遊技者がそれぞれの体格や好みに合わせてレスト部の高さ位置を定めることができる。すなわち、遊技者が遊技を行い易く且つ腕の疲労を軽減できる高さ位置に任意に調整できる。そのため、遊技機の操作性を損なうことなく、疲労軽減効果を一層向上できる。
【００２０】
ここで、高さ調整手段は、レスト脚部に、上下方向に沿って所定間隔で設けられた複数の係合口と、該係合口に係合してレスト部をレスト脚部に対して上下方向に移動不能とする係合位置と係合解除してレスト部を上下方向に移動可能とする非係合位置とに位置変換可能とするように、レスト脚部に配設された係合片とを備えたものである構成が提案される。
【００２１】
かかる構成にあっては、係合片を非係合位置とすることにより、レスト部の高さを変えることができ、係合位置としていずれかの係合口と係合することにより、所定の高さ位置に保持することができる。このように、いずれかの係合口を選択して係合片と係合することによって、レスト部の高さ位置を容易に変えることができると共に、所定の高さ位置で安定して保持できる。このように、レスト部の高さ調整作業を容易に行うことができ、かつ正確かつ安定して高さ位置を決めることができる。
【００２２】
上述した遊技機用ハンドレストにあって、固定用台座は、テーブル上面に乗載されて取り付けられる板状の取付板部と、該取付板部の前端から下方へ突設された板状の位置規定部とを備え、さらに、レスト脚部の下端部と軸支される軸支部が、位置規定部の下端に設けられている構成が提案される。又は、固定用台座は、テーブル下面に取り付けられる板状の取付板部と、該取付板部の前端から上方へ突設された板状の位置規定部とを備え、さらに、レスト脚部の下端部と軸支される軸支部が、取付板部と位置規定部との連成部位に設けられている構成が提案される。
【００２３】
いずれの構成にあっても、固定用台座によりテーブルに安定して保持することができると共に、レスト主体を使用位置と収納位置とに安定して位置変換することができるため、上述した本考案の作用効果が一層適正に発揮できる。
【００２４】
ここで、取付板部をテーブル上面に取り付ける前者の構成にあっては、該取付板部と位置規定部との間に、上方へ迂回する逃げ部を備えた構成が好適である。この逃げ部は、テーブル前端部が上方へ隆起しているテーブルに取り付ける場合に、該隆起した前端部を回避して取り付けることができるようにするためのものである。一方、取付板部をテーブル下面に取り付ける後者の構成にあっては、テーブル上面がその本来の形態で保たれるため、収納位置とすることにより掃除等を行い易いという利点がある。
【考案の効果】
【００２５】
本考案は、上述したように、遊技者の腕を載せるレスト主体がテーブルに取り付けた固定用台座に前後方向へ回転可能に軸支されてなり、該レスト主体を、該固定用台座の位置規定部に当接して起立する使用位置と該使用位置から前方回転してテーブルの下側へ回り込む収納位置とに位置変換可能とし、さらに前記使用位置で保持するようにした構成であるから、使用位置のレスト主体に腕を載せて遊技を行うことにより疲労を軽減できる。また、レスト主体を前後方向へ回転操作して位置変換するため、該位置変換の際に隣りの遊技者の邪魔になり難く、隣り同士で不快感を生じてしまうことを抑制でき得る。また、レスト主体を使用位置とした状態でパチンコ遊技機を開放した場合に、該レスト主体が前方へ回転することによって、両者の接触による負荷を低減できるため、破損などの発生を抑制でき得る。
【００２６】
上述した本考案の遊技機用ハンドレストにあって、レスト主体と固定用台座とに両端支持したコイルバネにより、使用位置と収納位置とに付勢するレスト付勢手段を備えた構成にあっては、コイルバネの付勢力により使用位置と収納位置とでレスト主体を保持できると共に、比較的容易に位置変換できる。さらに、パチンコ遊技機を開放する際にレスト主体に接触しても、コイルバネの弾性により該接触の際の負荷を緩和できるため、破損等の発生を抑制する作用効果が一層向上する。
【００２７】
又は、レスト主体のレスト脚部と固定用台座の位置規定部とを磁着して、レスト主体を使用位置で保持するレスト磁着手段を備えた構成にあっては、上記構成と同様に、使用位置で保持でき且つ比較的容易に回転できると共に、パチンコ遊技機の開放時の接触による負荷を低減する作用効果が一層向上する。
【００２８】
上述した本考案の遊技機用ハンドレストにあって、レスト脚部に対してレスト部の高さ位置を位置決めする高さ調整手段を備えた構成の場合には、各遊技者が夫々に高さ位置を調整でき、遊技機の操作性向上効果と疲労軽減効果との両者を向上できる。
【図面の簡単な説明】
【００２９】
【図１】本実施例１の遊技機用ハンドレスト１の、（Ａ）前面図と、（Ｂ）後面図である。
【図２】同上の遊技機用ハンドレスト１の、（Ａ）平面図と、（Ｂ）側面図である。
【図３】同上の遊技機用ハンドレスト１のレスト主体３を使用位置とした状態を示す縦断面図である。
【図４】実施例１のレスト主体３を、（Ａ）位置変換途中の状態と、（Ｂ）収納位置とした状態とを示す縦断面図である。
【図５】レスト主体３の高さ調整を表す説明図である。
【図６】本実施例２の遊技機用ハンドレスト５１の、（Ａ）前面図と、（Ｂ）後面図である。
【図７】実施例２のレスト主体３を、（Ａ）使用位置とした状態と、（Ｂ）収納位置とした状態とを示す縦断面図である。
【考案を実施するための形態】
【実施例１】
【００３０】
本考案の実施例１を、添付図面を用いて詳述する。
本実施例１の遊技機用ハンドレスト１は、図１，２のように、固定用台座２とレスト主体３とを備えた構成である。ここで、遊技機用ハンドレスト１は、図３のように、パチンコ遊技機（図示せず）を並設する遊技機島設備（図示せず）に設けられたテーブル１００に取り付けられるものである。尚、遊技機用ハンドレスト１をテーブル１００に取り付けた状態で、パチンコ遊技機側（図中右側）を後側（後方）とし、反対側（図中左側）を前側（前方）として、以下説明する。
【００３１】
遊技機用ハンドレスト１の固定用台座２は、上記テーブル１００に取り付けられる板状の取付板部１１と、該取付板部１１の後端から上方へ迂回するように連成された逃げ部１２と、該逃げ部１２の後端から下方へ連成された板状の位置規定部１３とを備えた略Ｌ字形を成す。ここで、本実施例１の固定用台座２にあっては、図３のように、取付板部１１をテーブル１００の上面１０２に両面テープ４０によって接着して取り付けるようにしている。一方、テーブル１００は、パチンコ遊技機の下皿（図示せず）から取り出した遊技球を受ける球箱を載置できるようになっている。そして、テーブル１００上に零れた遊技球が落下しないように、テーブル前端に上方へ隆起する落下止め部１０１が横方向に亘って設けられている。固定用台座２は、逃げ部１２によりテーブル１００の落下止め部１０１を回避するようにして、取付板部１１をテーブル１００の上面１０２に取り付けることができる。そのため、固定用台座２をテーブル１００に安定して固定できる。
【００３２】
この固定用台座２の位置規定部１３は、テーブル１００の前端面１０４に倣うように設けられており、該前端面１０４に面接触して支持され得る。この位置規定部１３の下端に、前方かつ下方へ向かう斜め方向へ突出するように軸支部１４が設けられており、該軸支部１４により上記レスト主体３を軸支している。ここで、軸支部１４が少なくともテーブル１００の下端より下方へ突出するように、位置規定部１３および軸支部１４の下方向長さ寸法を設定している。また、軸支部１４は、幅方向中央で左右両側に離間する形態となっており、その離間する空隙によって、後述するコイルバネ２０を前後方向に挿通可能とする挿通口１５ａが構成されている（図１参照）。
【００３３】
上記したレスト主体３は、固定用台座２の軸支部１４に軸支されるレスト脚部２１と、遊技者の腕を載せるレスト部２２とを備えている。ここで、レスト脚部２１は、図１のように、その下部を左右両側に離間する形状を成し、その下端部２１ａ，２１ａと固定用台座２の軸支部１４とが回転軸１９，１９により前後方向へ回転可能に夫々軸支されている。二本の回転軸１９，１９により回転軸線Ｌを構成しており、レスト主体３が、回転軸線Ｌを中心として固定用台座２に対して前後方向へ回転可能となっている。尚、レスト主体３は、そのレスト脚部２１が固定用台座２の位置規定部１３と当接することによって、該位置規定部１３よりも前側へ回転不能となっている。また、レスト脚部２１の下端部２１ａ，２１ａおよび回転軸１９，１９がそれぞれ左右両側に離間していることから、その離間する空隙によって、後述するコイルバネ２０を前後方向に挿通可能とする挿通口１５ｂが構成されている。尚、図１については、コイルバネ２０を図示省略している。
【００３４】
レスト脚部２１には、図３のように、前記挿通口１５ｂの上側にコイルバネ２０の一端を支持する支持杆１６が配設されている。一方、固定用台座２の軸支部１４には、その左右両側に差し渡されるように支持杆部１４ａが設けられており、該支持杆部１４ａにコイルバネ２０の他端が支持されている。ここで、レスト脚部２１の挿通口１５ｂと軸支部１４の挿通口１５ａとは、上下方向に沿って略一直線状に形成されており、該挿通口１５ａ，１５ｂに沿うようにコイルバネ２０が配設されている。そして、コイルバネ２０は、その一端が、レスト脚部２１と軸支部１４との回転軸線Ｌから上方へ偏位した部位（支持杆１６）に支持され、他端が、該回転軸線Ｌから外方へ偏位した部位（支持杆部１４ａ）に支持されて配設されている。このコイルバネ２０が、レスト主体３の前後方向への回転に伴って伸縮し、前記挿通口１５ａ，１５ｂとを挿通することによって回転の際に妨げにならないようになっている（図４参照）。
【００３５】
尚、レスト主体３と固定用台座２とを付勢するコイルバネ２０は、該レスト主体３を起立する使用位置（図３参照）と、レスト主体３をテーブル１００の下側に配する収納位置（図４（Ｂ）参照）とで収縮し、両位置の間で伸長する。そして、使用位置と収納位置との略中間（図４（Ａ）参照）でコイルバネ２０が最も伸長し、その最も伸長する最伸長位置と前記使用位置との間にレスト主体３がある場合には、該レスト主体３はコイルバネ２０の付勢力により使用位置に向かって付勢される。一方、前記最伸長位置と収納位置との間にレスト主体３がある場合には、該レスト主体３はコイルバネ２０の付勢力により収納位置に向かって付勢される。すなわち、レスト主体３を前記最伸長位置の前後いずれかまで回転させることにより、レスト主体３が使用位置または収納位置へ位置変換されて保持される。
【００３６】
このレスト脚部２１は、図１（Ａ）および図２（Ｂ）のように、その上部に、三つの係合孔２５ａ，２５ｂ，２５ｃが夫々形成された嵌入上部２４を備えている。三つの係合孔２５ａ，２５ｂ，２５ｃは、嵌入上部２４に、上下方向の一直線上に均等間隔で並設されている。この嵌入上部２４には上記のレスト部２２の嵌合支持部２８に嵌挿されて、該レスト部２２がレスト脚部２１に対して上方向へ移動可能となっている（図５参照）。このレスト部２２は、下方開口して嵌入上部２４を嵌挿する上下方向の嵌合支持部２８と、該嵌合支持部２８の上端から前方へ突成された乗載部２７とを備えている。尚、本実施例１にあって、乗載部２７の上面２７ａが水平方向に沿って形成されており、該上面２７ａに腕を載せることができる。
【００３７】
さらに、レスト脚部２１の嵌入上部２４には、互いに隣り合う係合孔２５ａ，２５ｂ，２５ｃの間に連通路２６ａ，２６ｂが貫通形成されており、該係合孔２５ａ，２５ｂ，２５ｃを上下方向へ連通している。ここで、連通路２６ａ，２６ｂは、係合孔２５ａ，２５ｂ，２５ｃに比して横方向幅が短く形成されている。一方、レスト部２２の嵌合支持部２８には、その後側部に、前記係合孔２５ａ，２５ｂ，２５ｃのいずれかと前後方向で重なるように挿通孔２９が穿設されている。そして、この挿通孔２９に前後方向へ移動可能に嵌入された係合片３０が、レスト部２２に配設されている。この係合片３０は、図３および図５のように、その後端部が前記挿通孔２９に嵌入して支持され、前端部が、レスト部２２に設けられた前側突出部２８ａの内部でコイルバネ３５を介して支持されており、該コイルバネ３５により後方付勢されている。さらに、係合片３０には、係合孔２５ａ，２５ｂ，２５ｃおよび連通路２６ａ，２６ｂに挿通可能な非係合部３２と、係合孔２５ａ，２５ｂ，２５ｃに嵌入可能かつ連通路２６ａ，２６ｂに嵌入不能な嵌入係合部３１とが前後に連成されている。このように係合片３０は、異形断面形の棒状体を成している。
【００３８】
この係合片３０は、コイルバネ３５により後方付勢されて、その嵌入係合部３１をいずれかの係合孔２５ａ，２５ｂ，２５ｃに嵌入し、挿通孔２９から後方へ突出している。この状態で、レスト部２２をレスト脚部２１に対して所定の高さ位置で保持する。このように、コイルバネ３５の付勢力に従って嵌入係合部３１を係合孔２５ａ，２５ｂ，２５ｃに嵌入する係合片３０の前方位置が、本発明にかかる係合位置である（図３，図５（Ｂ）参照）。一方、図５（Ａ）のように、係合片３０の後端部を前方へ押し込み、非係合部３２を係合孔２５ａ，２５ｂ，２５ｃに挿通する位置で維持することによって、該非係合部３２が連通路２６ａ，２６ｂを挿通可能となり、レスト部２２を上下方向へ移動可能となる。そして、レスト部２２を移動して所定の係合孔２５ａ，２５ｂ，２５ｃに挿通した状態で、係合片３０を後方へ押し込む力を解除することによって、該係合片３０がコイルバネ３５の付勢力により前記係合位置となる。これにより、レスト部２２の高さ位置を変更および位置決めすることができる。このようにレスト部２２は、レスト脚部２１の嵌入上部２４に設けた係合孔２５ａ，２５ｂ，２５ｃに応じて高さ位置を位置変換できると共に、夫々の高さ位置で保持する。ここで、コイルバネ３５の付勢力に抗して非係合部３２を係合孔２５ａ，２５ｂ，２５ｃおよび連通路２６ａ，２６ｂに挿通する係合片３０の後方位置が、本発明にかかる非係合位置である（図５（Ａ）参照）。
【００３９】
尚、レスト部２２の嵌合支持部２８に設けた前側突出部２８ａは、その内部空域内に係合片３０の嵌入係合部３１を進出できるように形成されている。
【００４０】
次に、本実施例１の遊技機用ハンドレスト１の使用態様について説明する。
遊技機用ハンドレスト１は、図３のように、その固定用台座２の取付板部１１を、遊技機島設備のテーブル１００の上面に両面テープ４０で接着することにより固定する。ここで、固定用台座２の取付位置は、パチンコ遊技機（図示せず）の操作ハンドル（図示せず）の前方位置である。
【００４１】
この遊技機用ハンドレスト１を使用する場合には、そのレスト主体３を、レスト脚部２１が固定用台座２の位置規定部１３に当接して起立する使用位置とする。ここで、レスト主体３は、コイルバネ２０の付勢力により使用位置に保持される。この使用位置では、レスト主体３のレスト部２２の乗載部２７が、操作ハンドル（図示せず）の前側で水平方向に沿うようにして保持されている。そのため、遊技者は、レスト部２２の乗載部２７上に腕を載せて操作ハンドルを操作することができ、該操作によって生ずる疲労を軽減できる。
【００４２】
ここで、遊技者は、自身の体格や好みに応じて、レスト部２２の高さ位置を変えることができる。例えば、図５（Ａ）のように、レスト部２２の嵌合支持部２８から後方突出する係合片３０の後端部を前方へ押し込み（非係合位置）、該レスト部２２を上方移動し、図５（Ｂ）のように、最も高い位置に設けられた係合孔２５ｃに係合片３０の嵌入係合部３１を嵌入して保持する（係合位置）。これにより、レスト部２２の高さ位置を、最も高い位置に位置決めすることができる。このように、係合片３０を押し込んでレスト部２２を上下方向へ移動して、いずれかの係合孔２５ａ，２５ｂ，２５ｃに嵌入係合部３１を嵌入して保持することにより、レスト部２２の高さ位置を三段階に調整することができる。
【００４３】
また、遊技機用ハンドレスト１を使用しない場合には、図４のように、そのレスト主体３を、上記使用位置から前方へ回転してテーブル１００の下側へ回り込ませ、テーブル１００の下面に当接する収納位置とする。この収納位置では、図４（Ｂ）のように、レスト主体３がテーブル１００の下面に当接して上方へ回転できず、且つコイルバネ２０の付勢力により保持される。そして、この収納位置では、レスト主体３がテーブル１００の下側に収納されてしまうことから、該レスト主体３がテーブル１００の前側にほとんど突出せずに隠れてしまう。そのため、レスト主体３を収納位置に保持した状態は、遊技者にとって、当該遊技機用ハンドレスト１を配設していない状態とほとんど変わらず、遊技の邪魔にならない。
【００４４】
このように本実施例１の遊技機用ハンドレスト１は、使用位置と収納位置とに位置変換することによって、該使用位置では遊技者の疲労感を低減することができ、且つ収納位置では遊技者の遊技を邪魔しない。そして、コイルバネ２０により、使用位置または収納位置で保持できるため、それぞれの位置で生ずる作用効果を適正に持続できる。また、レスト主体３を位置変換する際には、前後方向へ回転させる操作を要するのみであることから、当該操作によって隣りの遊技者を邪魔することもない。そのため、レスト主体３の回転操作の際に、隣りの遊技者が遊技への集中を妨げられず、自己の遊技を充分に楽しむことができる。すなわち、隣り同士の遊技者が、互いに不快感を生じてしまうことを抑制でき、気持ち良く遊技を行うことができる。
【００４５】
さらに、レスト主体３をコイルバネ２０の付勢力により使用位置または収納位置に付勢していることから、遊技者はレスト主体３を比較的容易に回転操作することができる。また、レスト主体３を使用位置としている状態で、パチンコ遊技機を開放すると、該パチンコ遊技機とレスト主体３とが接触して、レスト主体３が使用位置から前方へ回転する。ここで、パチンコ遊技機とレスト主体３の接触により発生する負荷を、レスト主体３の前方への回転により緩和することができるため、両者に破損等が生じることを可及的に抑制できる。換言すると、レスト主体３は、パチンコ遊技機の開放によって前方へ回転するため、当該開放の邪魔にならないという利点を有する。尚、パチンコ遊技機を入れ替えする場合にあっても、同様の作用効果を生ずる。
【００４６】
本実施例１にあって、レスト主体３のレスト脚部２１と固定用台座２の軸支部１４とにコイルバネ２０を連結した構成により、本考案にかかるレスト付勢手段が構成されており、さらに、このレスト付勢手段により、本考案にかかるレスト保持手段が構成されている。また、レスト脚部２１の嵌入上部２４に設けた係合孔２５ａ，２５ｂ，２５ｃにより、本考案にかかる係合口が構成されており、これら係合孔２５ａ，２５ｂ，２５ｃと係合片３０とにより、本考案にかかる高さ調整手段が構成されている。
【実施例２】
【００４７】
実施例２の遊技機用ハンドレスト５１は、図６，７のように、テーブル１００の下面１０３に取り付ける板状の取付板部６１と、該取付板部６１の前端から上方へ突成された位置規定部６３，６３とを備えた略Ｌ字形の固定用台座５２を備えている。尚、実施例２の構成にあっては、固定用台座５２が異なる以外は、上述した実施例１と同じであり、同じ構成要素には同じ符号を記し、その説明を省略する。すなわち、レスト主体３は、上述した実施例１と同じ構成である。
【００４８】
本実施例２の固定用台座５２は、その取付板部６１の前端の幅方向中央部分から前方へ突成された軸支部６４を備え、該軸支部６４の左右両側に前記の位置規定部６３，６３が並設されている。そして、軸支部６４が、回転軸１９，１９によってレスト主体３のレスト脚部２１の下端部２１ａ，２１ａに軸支されており、上述した実施例１と同様に、レスト主体３が当該固定用台座５２に対して前後方向へ回転可能となっている。ここで、軸支部６４は、上述した実施例１と同様に、その幅方向中央で左右両側へ離間する形状を成し、この離間した空隙により挿通口６５が構成されている。この軸支部６４には、その左右両側に差し渡されるように支持杆部６４ａが設けられている。この支持杆部６４ａとレスト脚部２１に配設された支持杆１６とに、コイルバネ２０が両端支持されて配されている（図７参照）。そして、このコイルバネ２０に沿うように、前記挿通口６５とレスト脚部２１の挿通口１５ｂとが一直線状を成す。これにより、レスト主体３の回転の際に、コイルバネ２０が挿通口６５，１５ｂを挿通するため、当該回転が妨げられない。
【００４９】
尚、本実施例２の固定用台座５２は、その取付板部６１と位置規定部６３，６３との連成部位（取付板部６１の前端）に、軸支部６４が設けられた構成となっている。
【００５０】
実施例２の遊技機用ハンドレスト５１は、その固定用台座５２の取付板部６１をテーブル１００の下面１０３に所定のネジ（図示せず）により螺合することによって取り付けられる。これにより、テーブル１００に固定用台座５２が固定され、位置規定部６３，６３がテーブル１００の前側面１０４に当接して支持される。尚、位置規定部６３，６３は、テーブル１００の板厚よりも短く設定されており、該テーブル１００の上面よりも上方に突出しない。
【００５１】
このようにテーブル１００に取り付けた遊技機用ハンドレスト５１は、図７（Ａ）のように、そのレスト脚部２１を固定用台座５２の位置規定部６３，６３に当接して、レスト主体３を使用位置とする。レスト主体３は、この使用位置でコイルバネ２０の付勢力により保持される。使用位置では、レスト主体３のレスト部２２の乗載部２７がパチンコ遊技機（図示せず）の操作ハンドル（図示せず）の前側で水平方向に沿うように配される。遊技者が、この乗載部２７に腕を載せて操作ハンドルを操作することによって、疲労感を軽減することができる。一方、使用しない場合には、図７（Ｂ）のように、レスト主体３を前方へ回転してテーブル１００の下側に回り込ませ、収納位置に保持する。この収納位置では、レスト主体３が固定用台座５２の取付板部６１（又はテーブル１００の下面１０３）に当接して上方へ回転不能とすると共に、コイルバネ２０の付勢力によって保持される。レスト主体３を収納位置とすることにより、該レスト主体３がテーブル１００の下側へ隠れてしまうことから、遊技者の遊技の邪魔にならない。
【００５２】
このように、本実施例２の構成にあって、固定用台座５２をテーブル１００に取り付けてレスト主体３を使用位置と収納位置とに位置変換して保持するものであるから、上述した実施例１と同様の作用効果を奏する。また、実施例１と同様に、レスト部２２をレスト脚部２１に対して高さ調整することができ、同様の作用効果を奏する。さらに、固定用台座５２の取付板部６１をテーブル１００の下面に固定するため、テーブル１００の上面が本来の形態で保たれ、レスト主体３を収納位置に保持した状態ではテーブル１００上に当該遊技機用ハンドレスト１が存在しない。そのため、テーブル１００の上面に、小物等を置き易く、また、掃除等も行い易いという利点がある。さらに、ネジをテーブル１００に螺合しても、テーブル１００の上面に影響がないため、テーブル１００の上面の美観を維持することができる。
【００５３】
一方、上述した実施例１，２の構成は、固定用台座とレスト主体とを一本のコイルバネにより使用位置と収納位置とに付勢して各位置で保持するようにした構成であるが、その他の構成として、コイルバネをレスト主体（レスト脚部）と固定用台座との両側部に夫々配設することもできる。この構成によっても、上述した実施例１，２と同様に、レスト主体３を使用位置と収納位置とに保持でき、同様の作用効果を奏し得る。尚、この場合には、レスト脚部と軸支部とに夫々設けた挿通口を要しない。また、コイルバネを複数配設するようにしても良いし、さらに、コイルバネの代えて板バネを適用して、レスト主体を使用位置と収納位置とに付勢するようにしても良い。
【００５４】
上述した実施例１では、固定用台座の取付板部を両面テープによりテーブル上面に取り付けるようにしているが、その他の取り付け方法（固定方法）を用いることもできる。例えば、実施例２と同様にネジ等により螺合するようにしても良い。また、実施例２にあっても、同様に他の取り付け方法を用いても良く、例えば、実施例１と同様に両面テープを用いることも可能である。
【００５５】
上述した実施例１，２にあって、レスト主体のレスト部は、レスト脚部に対して上下方向に三段階で高さ調整できるようにした構成であるが、高さ調整を二段階や四段階等のように夫々設定することも可能である。さらには、この高さ調整する構成として、他の方法を用いることもできる。一方、レスト部とレスト脚部とを一体的に設けて、高さ調整できない構成としても良い。
【００５６】
一方、上述した実施例１，２は、コイルバネによりレスト主体を使用位置と収納位置とに保持するようにした構成であるが、その他の構成として、磁石等の磁着作用によりレスト主体を使用位置と収納位置とに保持するようにしても良い。具体的には、実施例２と同様の固定用台座とレスト主体とを有する構成にあって、該固定用台座を磁性体の金属により形成し、固定用台座の位置規定部と当接するレスト脚部の前側部位に磁石を配設し、且つ固定用台座の取付板部と当接するレスト脚部の後側部位に磁石を配設する。これにより、使用位置では、固定用台座の位置規定部とレスト脚部とが当接して磁着することにより保持され、収納位置では、固定用台座の取付板部とレスト脚部とが当接して磁着することにより保持される。そして、使用位置と収納位置とに位置変換する際には、磁着解除してレスト主体を回転する。このようにコイルバネを配設せず且つレスト主体と固定用台座とを磁着する構成にあっても、上述した実施例２と同様の作用効果を奏し得る。この構成の場合には、前記磁石と磁性体の金属とにより本発明にかかるレスト磁着手段が構成されており、該レスト磁着手段によりレスト保持手段が構成されている。尚、実施例１の構成にあっても、同様に磁石を適用した構成とすることが可能である。
【００５７】
本考案にあっては、上述した実施例に限定されるものではなく、その他の構成についても、本考案の趣旨の範囲内で適宜変更可能である。例えば、レスト主体のレスト部の乗載部に、クッション等を配設した構成とすることもできる。
【符号の説明】
【００５８】
１，５１  遊技機用ハンドレスト
２，５２  固定用台座
３  レスト主体
１１，６１  取付板部
１３，６３  位置規定部
１４，６４  軸支部
２０  コイルバネ
２１  レスト脚部
２２  レスト部
２５ａ，２５ｂ，２５ｃ  係合孔（係合口）
３０  係合片
１００  テーブル
Ｌ  回転軸線
【図１】
0003162416.tif 000003
【図２】
0003162416.tif 000004
【図３】
0003162416.tif 000005
【図４】
0003162416.tif 000006
【図５】
0003162416.tif 000007
【図６】
0003162416.tif 000008
【図７】
0003162416.tif 000009